(57)【要約】【課題】認知症患者及び高齢者は、カレンダーを見ても今日が何日か判断が困難な場合がある。更に予定記載があっても日付と関連付けて認識する事が難しく、生活に支障をきたしたり、同居人や介護人の負担増につながる事が多い。本発明は生活基盤の日付認識と予定との関連認識・把握、実行、管理を容易くする手段を提供する。【解決手段】カレンダー装置に報知制御部と時計機能部と表示部からなる装置制御部を有して、時計機能部が示す当日日付に相当したエリア枠内を照明で明示する事で当日の日付認識が一目瞭然となり、予定など記載可能な紙カレンダーを挿入して、従来の紙カレンダーとデジタル表示とを一体化し、日付と予定の関連認識及び把握、実行、管理を容易にするものである。【選択図】図１
2016076196.tif 000002
【特許請求の範囲】
【請求項１】
報知時刻を受信する機能を備えた報知制御部とカレンダー機能を備えた時計機能部と、特定エリア枠を照明等で明示する表示部からなる装置制御部を装備し、時計機能部が示す当日日付に相当したエリア枠を照明で明示し、予定など記載可能な紙状カレンダーを挿入し日付と予定が一目瞭然で関連認識・把握・実行・管理出来る、デジタル表示と紙状カレンダーを一体化して使用する認知症患者及び高齢者用カレンダー。
【発明の詳細な説明】
【技術分野】
【０００１】  本発明は、日付など認識困難な方に一目瞭然に日付と予定とを関連認識・把握・実行・管理し易くする認知症患者及び高齢者用カレンダーに関するものである。
【背景技術】
【０００２】  近年高齢化に伴い、認知症患者の増加や高齢者の独居問題など、高齢者の生活に関する問題は多様化し増加している。その中でも日付認知能力の低下に関する問題は生活基盤に直結するものである為重要度も高く、他の問題に影響を及ぼす事も多い。【０００３】  具体的には、カレンダーを見ても今日が何日か判断できず、予定との関連付けが困難であったり、他の日と間違えたりし、正しい予定の実行に至らないケースが多い。
又このような場合は他者からの度重なる訂正も有効ではなく、問題を繰り返す傾向にある。【０００４】  加えそのような症状の方の多くは自身の能力低下を自覚出来る為、ストレスや不安感を感じて更なる症状の悪化を招く悪循環となることも少なくない。それは同時に家族や看護側の負担増となり新たな問題点となっているのが現状である。【０００５】  このような問題点を抱える方や家族・介護側での、従来の紙状カレンダーやデジタルカレンダーの利用方法の工夫は勿論のこと、更にはこの問題に特化し対処した日付や時刻、予定の確認・管理を行うのに有効な種々の提案がされてきた。【０００６】  例えば従来の紙カレンダーでは日付表示及び予定などの記載欄が設けられ、ひと月あるいはふた月分などの表示となっている（特許文献１参照）
又デジタルカレンダーでは当日の日付が色や枠などで区別表示され明確となっている。（特許文献２参照）
更には目標時間表示設定時計やスケジュール報知装置など予定までの期間や時間を報知するものとした。（特許文献３参照）
又それに加え直観的かつ容易に取り扱えるものと構成した（特許文献４参照）等が知られている。
【先行技術文献】
【特許文献】
【０００７】
【特許文献１】  特開２００２−１９２８６３号公報
【特許文献２】  特開２００８−２２５５６２号公報
【特許文献３】  特開平８−４３５５７号公報
【特許文献４】  特開２０１０−５４３７２号公報
【発明の概要】
【発明が解決しようとする課題】
【０００８】  しかしながら、特許文献１のカレンダーでは予定などの記載は出来ても日付との関連認識が困難である。更に特許文献２のデジタルカレンダーでは日付認識は容易でも予定などとの関連認識が困難であり、それぞれ予定・日付の認識は可能でも、双方を関連付け認識した上、予定の把握と実行・管理に至るまでには極めて困難となる。【０００９】  そして認知症患者は初期状態でも新しい情報の認識・記憶が極めて難しく、アナログ的且つビジュアル的に慣れ親しんだ視覚からの情報処理が極めて効果的である。
その為特許文献３のように新しい情報処理、更に多くの高齢者が苦手とする機械的操作の必要性のあるものは利用する時点で問題が生じることとなる。【００１０】  又特許文献４では見慣れない形状の為、特許文献３同様利用方法の理解が困難な場合が考えられる。加えて認知能力が低下した高齢者や認知症患者の予定として１日で多種多様な予定をこなす日常は考えづらく、それどころか曜日や週ごとなどで定期的な生活パターンが多いと思われる為、１日表示ではな１カ月表示のものが最も適切で必要性が高いと思われる。【００１１】  従って１カ月表示で予定などが記載可能な紙状カレンダーと当日の日付認識が容易なデジタル表示を一体化して、アナログ的且つビジュアル的に慣れ親しんだ形状である事を重要とし、日付認識が一目瞭然で判断でき、なおかつ当日の予定などとの関連認識・把握・実行・管理が容易なカレンダーを提供し、彼らの生活をサポートするものとする。【００１２】  又その結果、ストレスや不安感を軽減するだけでなく、認知能力低下のくい止めにもつながるものと思われる。そしてそれは同時に家族や介護側の負担軽減に直結するものである。
本発明は以上の問題点を解決するものである。
【課題を解決するための手段】
【００１３】  この発明に係わるカレンダー装置は、報知時刻を受信する機能を備えた報知制御部と、カレンダー機能を備えた時計機能部と、特定エリア枠を照明等で明示する表示部からなる装置制御部からなり、時計機能部が示す当日日付に相当したエリア枠を照明で明示することで日付認識が一目瞭然で判断でき、なおかつ、照明表示されたエリア枠内に記載する予定などとの関連認識・把握・実行が容易に行えるものである。【００１４】  又カレンダー部分は紙状の為予定などは従来通り筆記用具などで記載可能としてる。
更に紙カレンダーの日付表示部分は６週月に対応し６行とし、各日付部分をより明確に理解し易いものとしている。又翌月への移行は各月インデックスを利用し、翌月分の紙カレンダーと差し替え利用する。以上の仕様により予定管理がしやすいものとしている。
【発明の効果】
【００１５】  本発明では、日付認識が困難な認知症患者や高齢者が慣れ親しんだ形状・仕様のカレンダーによって一目瞭然に当日の日付と予定の認識を容易に理解する事が出来る。【００１６】  又認知症患者の症状に多く見られる認識後すぐ忘れてしまう状態でも、再度カレンダーを見るだけで即座に正しい情報を再確認できる。家族や介護者の手助けや負担なく簡単に何度でも繰り返し確認できることも大きな利点であり、本人の不安感を取り除き自信を与えるものとなる。【００１７】  加え予定記載部分を紙状にするなどの仕様によって従来の慣れ親しんだ方法での予定管理を実現し、新たな情報処理が難しい認知症患者や高齢者にとって扱いやすいものとなっている。加えひと月表示にする事によって、定期的な生活パターンが多い高齢者にとって月単位での予定認識を容易にし安心感も与えるものである。【００１８】  更にインデックスを利用し抜き差しし易く、必要月の用紙を取り出して先の予定も容易に書き込める点も従来の利用方法・仕様に近く扱いやすいものである。
【図面の簡単な説明】
【００１９】
【図１】本発明の一実施例を示す、カレンダー装置の外観斜視図。
【図２】本発明の一実施例を示す、カレンダー装置の日付枠の拡大表示例図。
【図３】本発明の一実施例を示す、カレンダー装置の紙カレンダーの正面図。
【図４】本発明の一実施図を示す、カレンダー装置の側面図。
【図５】本発明の一実施例を示す、カレンダー装置の電気回路図。
【図６】本発明の一実施例を示す、カレンダー装置の制御フローチャート。
【発明を実施するための形態】
【００２０】  以下、本発明の実施の形態を説明する。
（イ）本発明の一実施例を、図１のカレンダー装置（１）の外観図と、図５の電気回路図に沿って説明する。図１において、図５の電気回路にはカレンダーの装置制御部（２）があり、電池設置部（６）に電池を装着する事により動作を開始する。当月表示部（３）は、図２の拡大図のごとく、各日毎に枠（７）で囲われ、ＬＥＤ等の発光素子（８）が枠（７）内に埋め込まれる構成となる。また枠（７）で囲われた範囲の予定などの記載部（９）は、紙カレンダー（１０）へ直接書き込みが出来る構成となっている。
（ロ）図５は、カレンダー装置（１）を制御するための電気回路図である。報知制御部（１３）で報知時刻を受信し、マイクロコンピュータ（１４）からの要求に応じ月日、時刻データを送信する。
また、時計用ＩＣ（１５）は水晶振動子（１６）の共振周波数を基準クロックとして、月・日・時・分・秒のデータをカウントして、カレンダー機能月時計機能として動作する時計用ＩＣ（１５）であり、マイクロコンピューター（１４）からの要求に応じ、月日、時刻データを送信する。
マイクロコンピューター（１４）の出力側には表示部（１７）が接続されている。
（ハ）次に、図６のフローチャートを参照しながら動作について説明する。まず、マイクロコンピューター（１４）は報知制御部（１３）に報知時刻取得と通知を要求する。報知制御部（１３）にて報知時刻が取得され、マイクロコンピューター（１４）に取得時刻が通知されたら、マイクロコンピューター（１４）は時計用ＩＣ（１５）に取得時刻を設定する。
次に、マイクロコンピューター（１４）は時計用ＩＣ（１５）から時刻（年・月・日・曜日・時・分・秒）データを読み出し、読み出した時刻データより当月・当日表示位置の算出を行い、算出された当月・当日の表示位置の枠（７）に埋め込まれたＬＥＤ等発光素子（８）の点灯を行う。
以降１分毎にマイクロコンピューター（１４）は時計用ＩＣ（１５）から時刻データを読み出し、当月・当日の表示位置の枠（７）に埋め込まれたＬＥＤ等発光素子（８）の点灯を行う。
尚、マイクロコンピューター（１４）は時計用ＩＣ（１５）から時刻（年・月・日・曜日・時・分・秒）データを読み出した際に、前回時刻データ読み出し時の時刻（年・月・日・曜日）と異なっていた場合、報知制御部（１３）に報知時刻の再取得要求を行い、現在時刻の再設定を行うことすることで、設置電池が尽きるまで自動で時刻を補正し、信頼性の高いカレンダー装置が得られる。
本発明は以上のような構造である。
【００２１】  本発明を使用する時にはカレンダー装置（１）に当月分の紙カレンダー（９）を当月分挿入口（１０）に挿入、他月分紙カレンダー（９）を他月分挿入口（１１）に挿入する。
各月インデックス（４）を利用し容易に各月分紙カレンダー（９）を取り出し当月分と交換したりどの月分でも取り出し予定など記載可能となっている。
又カレンダー装置（１）に挿入しまま予定などの記載も可能とする。
翌月に移行変更時は該当月分の紙カレンダー（９）と交換し利用する。
当月最終日から翌月１日に日付変更時（各月１日０時）には翌月１日の曜日（第１週目）が点灯される。月が変更した事の認識が難しい症状の場合は終わった日付部分を×印など付け、すでに過ぎている日付部分の点灯状態もって、翌月への経過を連想させるものなどとし利用者の症状や状況によった対処・工夫に対応できるものとしている。
また６週月対応とし、日付欄の行は６列とする。紙カレンダー（９）には前月・翌月の日付部分は前月／翌月の月記載は勿論、薄く記載するなど区別し従来のカレンダーとの類似を図ると共により理解しやすく利用するものとする。
又毎年新年用専用紙カレンダー（９）を制作し、毎年同様に利用できるものとする。
【符号の説明】
【００２２】１カレンダー装置、２装置制御部、３当月表示部、４当月紙カレンダー表示部分、５各月インデックス  ６電池設置部分、７枠、８ＬＥＤ等発光素子、９予定など記載部分、１０紙カレンダー、１１当月カレンダー挿入口、１２他月カレンダー挿入口、１３報知制御部、１４マイクロコンピューター  １５時計用ＩＣ、１６水晶振動子、１７表示部
【図１】
2016076196.tif 000003
【図２】
2016076196.tif 000004
【図３】
2016076196.tif 000005
【図４】
2016076196.tif 000006
【図５】
2016076196.tif 000007
【図６】
2016076196.tif 000008